(57)【特許請求の範囲】
【請求項１】
電気油圧制御式の自動変速機（２）の変速の自然さを向上させる方法であって、第１の変速段から第２の変速段へのシフトがダウンシフトの形でなされて第１のクラッチが解除されて第２のクラッチが接続され、電子式変速機制御装置（５）が電磁式調整部材を介して前記第１及び第２のクラッチの圧力経過を制御する場合に適用されるものにおいて、
シフト命令に伴って前記第１のクラッチの圧力レベルが第１の圧力レベル（ｐ１）から第２の圧力レベル（ｐ２）へ減少され、
前記第２の圧力レベル（ｐ２）は保持時間（ｔＨＡＬＴ）の間保たれ、
前記保持時間の終了（ｔＨＡＬＴ＝ゼロ）と共に前記第１のクラッチの圧力レベルが第３の圧力レベル（ｐ３）へ減少されてその圧力レベル（ｐ３）に制御時間（ｔＲＥＧＥＬ）の間保たれ、この第３の圧力レベル（ｐ３）により変速機入力回転数（ｎＴ）の経過が決定され、
前記制御時間の終了（ｔＲＥＧＥＬ＝０）と共に前記第１のクラッチの圧力レベルがレベルゼロへ減少され、
前記保持時間（ｔＨＡＬＴ）は変速機入力回転数（ｎＴ）の増加及び作動油の温度（Θ）の関数（ｔＨＡＬＴ＝ｆ（ｄ＿ｎＴ、Θ））をなしており、
前記変速機入力回転数（ｎＴ）の増加とは、前記第２の変速段の同期点での変速機入力回転数値（ｎＴ（２））と前記第１の変速段の同期点での変速機入力回転数値（ｎＴ（１））との回転数差（ｄ＿ｎＴ＝ｎＴ（２）−ｎＴ（１））であり、
前記関数（ｔＨＡＬＴ＝ｆ（ｄ＿ｎＴ、Θ））は、より大きな前記回転数差（ｄ＿ｎＴ＝ｎＴ（２）−ｎＴ（１））に対してより小さい保持時間（ｔＨＡＬＴ）が設定されるように前記保持時間（ｔＨＡＬＴ）を決定することを特徴とする方法。
【請求項２】
前記保持時間（ｔＨＡＬＴ）が、変速機入力回転数（ｎＴ）の前記回転数差（ｄ＿ｎＴ）が大きい場合にはゼロ又はほぼゼロになるように変化することを特徴とする請求の範囲第１項に記載の方法。
【請求項３】
電気油圧制御式の自動変速機（２）の変速の自然さを向上させる方法であって、第１の変速段から第２の変速段へのシフトが行われて第１のクラッチが解除されて第２のクラッチが接続され、電子式変速機制御装置（５）が電磁調整部材を介して前記第１及び第２のクラッチを制御し、ダブルシフトが順次に行われる場合に適用されるものにおいて、
第１のシフト及び第２のシフトから成るダブルシフトの場合第２のシフトが請求の範囲第１項に記載のダウンシフトに相当することを特徴とする方法。
【請求項４】
前記ダブルシフトの前記第１のシフトが第１の変速段から第２の変速段へのアップシフトであり且つ前記第２のシフトが第２の変速段から第１の変速段へのダウンシフトである場合に、前記ダウンシフトの際に接続される前記第２のクラッチの急速充填時間（ｔＳＦ）が決定された減少時間分だけ減少され、前記減少時間は、前記アップシフトの際に前記第２のクラッチの解除が開始される時点（ｔ４）から前記第２のクラッチの急速充填が開始される時点（ｔ６）までの時間（ｔＲ）の関数であることを特徴とする、請求の範囲第３項に記載の方法。
【請求項５】
前記関数は、より小さい前記時間（ｔＲ）の値がより短い急速充填時間（ｔＳＦ）を生じさせるように、前記減少時間を決定することを特徴とする、請求の範囲第４項に記載の方法。
【請求項６】
前記変速機入力回転数（ｎＴ）の前記回転数差（ｄ＿ｎＴ）が限界値（ＧＷ）を上回った際（ｄ＿ｎＴ＞ＧＷ）に、前記保持時間（ｔＨＡＬＴ）がゼロ（ｔＨＡＬＴ＝０）に決定されることを特徴とする、請求の範囲第１項又は第３項に記載の方法。
【発明の詳細な説明】
本発明は、電気油圧制御式の自動変速機の変速の自然な感じを向上させる方法であって、第１の変速段から第２の変速段へのシフトがダウンシフトの形で行われ、第１のクラッチが解除されて第２のクラッチが接続される場合に適用されるものに関する。
自動変速機の場合のシフトはオーバラップシフト、即ち第１のクラッチが解除されて第２のクラッチが接続される形式で行われるのが通例である。例えばアメリカ合衆国特許第５０７９９７０号に提案されているダウンシフトの形でのオーバーラップシフトによれば、第１のクラッチの圧力レベルがシフト開始と共にシフトランプ関数に従って低い圧力レベルに移行される。次いで別の時間関数が続き、その間変速機入力回転数は上昇する。第２の、要するに接続される方のクラッチの圧力経過は急速充填フェーズ、充填均等化フェーズ、負荷引き継ぎフェーズから成る。
ダウンシフトは通例ではドライバーによって与えられるアクセルペダル値がダウンシフト特性曲線を越えた時に作動する。このアクセルペダルを介して作動させるダウンシフト以外に、任意な時点で手動でダウンシフトを作動させることもできる。例えばドイツ国特許出願公告第４３１１８８６号公報によれば、ドライバーがセレクトレバーによってハンドルに設けた手動のシフトレバーを介してシフトを作動できる装置が示されている。
実地においては、低い回転数レベルでの手動のダウンシフトに関しては長い応答時間、つまり手動のダウンシフト要求から自動変速機の感知できる応答までの長い所要時間が問題となる。この長い応答時間は油圧装置の信号経過時間もしくは不感時間、２つの前後するシフト相互間の遮断時間及び第１のクラッチの解除過程もしくは第２のクラッチへの給圧過程に要する時間に起因する。ドライバーにとってこの長い応答時間は不快に感じることになる。
本発明の課題は、特にダウンシフト及びダウンシフトを含むダブルシフトの際の自動変速機の変速の自然な感じを高めることである。
この課題を本発明は次のようにして解決した。即ち、シフト命令の発生と共に第１のクラッチの圧力レベルが第１の圧力レベルから第２の圧力レベルへ減少されて、この第２の圧力レベルが一定の保持時間保たれ、この保持時間が変速機入力回転数の回転数差及び作動油の温度の関数をなすようにしたのである。保持時間の終了と共に第１のクラッチの圧力レベルは一定の制御時間だけ第３の圧力レベルへ減少される。この第３の圧力レベルは変速機入力回転数の経過を決定する。制御時間の終了と共に第１のクラッチの圧力レベルはレベル０に低下される。
このような本発明による解決策は可変の保持時間という利点を有する。このような保持時間を介して応答時間が決定される。請求の範囲第２項によれば、変速機入力回転数のジャンプが小さい場合には長い保持時間が与えられ、ジャンプが大きい場合には極めて短い保持時間が与えられる。
変速機入力回転数のジャンプは、請求の範囲第３項によれば、第１の変速段でのシフトの開始時の変速機入力回転数値及び第２の変速段の同期点における変速機入力回転数値から算出される。
本発明の方法を順次作動のダブルシフトに適用するために、本発明によればさらに、第１のシフトとダウンシフトに相当する第２のシフトとから成るダブルシフトの場合、第２のシフトのために請求の範囲第１項に示すシフト移行が行われる。
この場合の１実施態様によれば、第１のシフトが第１の変速段から第２の変速段へのアップシフトに相当するダブルシフトの場合、第１のクラッチの解除と共に１つの時間段階が開始する。この時間段階は最大時間まで続き、時間段階の各時間値に１つの減少時間が属する。
請求の範囲第６項によれば、減少時間はダウンシフト時に接続されるクラッチの急速充填時間を決定する。この構成は、アップシフトとダウンシフトとの間の遮断時間が無くなるという利点を有する。遮断時間は元来必要とされた。というのは、アップシフト時に解除されるクラッチが引き続くダウンシフト時に再び充填されるので、確実な除圧を保証する必要があったからである。
次に、図面に示した実施例に従って本発明を詳述する。
第１図はシステム全体図、
第２図はダウンシフト用の時間線図、
第３図及び第４図はダブルシフト用の時間線図である。
第１図には自動変速機のシステム全体図が示されている。自動変速機２は流体トルクコンバータ７、差動装置１２を備えた遊星歯車装置１１、油圧制御装置４及び電子式変速機制御装置５から成っている。内燃機関１が駆動軸６を介して自動変速機２を駆動する。電子式エンジンコントロールユニット３が内燃機関１を制御する。駆動軸６は流体トルクコンバータ７に相対回転不能に結合されていてポンポインペラー８を駆動する。周知の通り流体トルクコンバータ７はポンプインペラー８、タービンランナー９及びステータ１０から成っている。流体トルクコンバータ７と平行にロックアップクラッチが符号なしに図示されている。このロックアップクラッチの作動に伴いタービン軸は駆動軸６と同じ回転数で回転する。遊星歯車装置１１は２つの遊星歯車組とクラッチもしくはブレーキＢ、Ｅ、Ｃ、Ｄ、Ｆから成っている。駆動力は差動装置１２及び両方のハーフシャフト１３Ａ、１３Ｂを介して伝達される。機械的な構造部分については本発明の理解にとって重要ではないのでその詳細は省く。クラッチ及びブレーキ（ＢからＦまで）は電子式変速機制御装置５から油圧制御装置４を介して制御される。この場合自動変速機２のアップシフト並びにダウンシフトは、第１のクラッチが解除されて第２のクラッチが接続されるオーバーラップシフトとして行われる。油圧制御装置４内には電磁調整部材及び油圧追従スプールが備えられている。
電子式変速機制御装置５については概略的に４つの機能ブロックとしてマイクロコントローラ１４、記憶装置１５、制御部調整部材１６及び計算装置１７が図示されている。記憶装置１５は通例のようにＥＰＲＯＭ、ＥＥＰＲＯＭ又は緩衝式のＲＡＭとして構成されている。この記憶装置１５内には変速機にとって重要なデータが蓄積される。制御部調整部材１６は油圧制御装置４内の電磁調整部材を制御するのに使われる。計算装置１７はシフトにとって重要なデータを計算するのに使われる。このデータは入力量１８、１９、２０、２１から決定される。入力量２０は例えばセレクトレバーの信号、操作キーの信号、内燃機関の回転数、アクセルペダル位置もしくはスロットル開度の信号、作動油の温度等である。電子式エンジンコントロールユニット３及び電子式変速機制御装置５はデータ導線路２１を介して互いに接続されている。このデータ導線路２１は、例えば対エンジン相関作用を可能にするために単線式インタフェースとして構成することができ、又はＣＡＮバスのようなバスシステム用に２方向データ導線路として構成することもできる。電子式変速機制御装置５用の付加的な入力量には変速機入力回転数１８、要するにタービン軸の回転数、変速機出力回転数１９が含まれる。
第２図は４つの分図第２Ａ図、第２Ｂ図、第２Ｃ図、第２Ｄ図に分けられて示されている。図示内容はダウンシフトの方向での第１の変速段から第２の変速段へのシフトである。それぞれ時間を追って示されており、第２Ａ図はシフト命令のための状態図、第２Ｂ図は変速機入力回転数の回転数経過ｎＴの線図、第２Ｃ図は第１の解除される方のクラッチの圧力経過ｐＫ１の線図、第２Ｄ図は第２の接続される方のクラッチの圧力経過ｐＫ２の線図である。第２Ｂ図、第２Ｃ図及び第２Ｄ図にはそれぞれ２つの例が示されている。第２Ｂ図は符号２２で低い回転数レベルで始まるダウンシフトを示している。この第１の例には第２Ｃ図内の符号２４で示す第１のクラッチの圧力経過ｐＫ１と第２Ｄ図内の符号２６で示す第２のクラッチの圧力経過ｐＫ２とが対応している。第２Ｂ図の符号２３で示す第２の例には第２Ｃ図内の符号２５で示す第１のクラッチの圧力経過ｐＫ１と第２Ｄ図内の符号２７で示す第２のクラッチの圧力経過ｐＫ２とが対応している。
第１の例：
時点ｔ１でシフト命令が出され、即ち第２Ａ図において信号の状態が１からゼロへ変わる。このシフト命令と共に第１のクラッチ２４の圧力経過ｐＫ１も第１の圧力レベルｐ１から圧力レベルｐ２へ変わる。時点ｔ１ではまた第２のクラッチ２６が高い圧力レベルｐ５の急速充填圧で給圧される。この給圧は時点ｔ３で終わる。次いで第２のクラッチ２６は充填圧ｐ６で給圧される。時点ｔ４において、時点ｔ１で始まる第１のクラッチ２４の保持時間が終わる。この時点ｔ４での保持時間の終了後第１のクラッチ２４の圧力レベルｐＫ１は第２の圧力レベルｐ２から第３の圧力レベルｐ３へ減少する。これによって変速機入力回転数ｎｔの経過が変わる。時点ｔ６においてこの変速機入力回転数ｎｔは同期点に達する。同期点においては第２のクラッチ２６が第１のクラッチ２４から負荷を引き継ぎ、要するに第１のクラッチ２４の圧力レベルがゼロへ減少され、これに対して第２のクラッチ２６の圧力レベルは充填圧によって圧力レベルｐ４へ高められる。時点ｔ７においてシフトは終了し、要するに第２のクラッチ２６の圧力レベルｐＫ２がシフト域外のレベルになる。
第２の例：
時点ｔ１においてシフト命令が出され、信号が第２Ａ図において１からゼロへ変わる。同時に第１のクラッチ２５の圧力レベルｐＫ１が第１の圧力レベルｐ１から第２の圧力レベルｐ２へ減少する。この時点ｔ１ではまた第２のクラッチ２７が急速充填圧ｐ５で給圧される。この急速充填圧は時点ｔ３まで保たれ、次いで充填圧ｐ６で充填される。時点ｔ２において第１のクラッチ２５の保持時間が終了する。この終了に伴って第１のクラッチの圧力レベルｐＫ１は第２の圧力レベルｐ２から第３の圧力レベルｐ３へ変わる。この結果として、変速機入力回転数ｎＴの経過が変わる。即ち、時点ｔ５において新たな変速段の同期回転数に達する。第２Ｂ図にこの同期回転数値が縦軸上にｎＴ（２）として示されている。同期点において第２のクラッチ２７は第１のクラッチ２５から負荷を引き継ぐ。かくして第１のクラッチの圧力レベルｐＫ１はゼロへ減少され、これに対して第２のクラッチ２７の圧力レベルｐＫ２は圧力レベルｐ４へ高められる。時点ｔ７において第２のクラッチ２７の圧力レベルｐＫ２はシフト域外のレベルになる。
第１の例において保持時間はｔ１からｔ４まで続く。これに対して第２の例によれば保持時間はｔ１からｔ２まで続くだけとなる。この保持時間は可変に設定できる。この保持時間の入力量は変速機入力回転数ｎＴの回転数差ｄ＿ｎＴ及び作動油の温度Θであり、従って次のようになる：
ｔＨＡＬＴ＝ｆ（ｄ＿ｎＴ、Θ）
回転数差ｄ＿ｎＴは第１及び第２の同期点における変速機入力回転数から計算される。従って第２の例の場合回転数差は次のようになる：
ｄ＿ｎＴ＝ｎＴ（２）−ｎＴ（１）
簡単な実施態様として、保持時間を第１の同期点ｎＴ（１）か又は第２の同期点ｎＴ（２）いずれかのみの変速機入力回転数に関連して決定してもよい。この場合次のようになる：
ｔＨＡＬＴ＝ｆ（ｎＴ（１）、Θ）又は
ｔＨＡＬＴ＝ｆ（ｎＴ（２）、Θ）
以上、第２図に示されているように、第２の例は第１の例に比較してΔｔの時間利益を有する。この時間利益は、ドライバーがダウンシフト後その分だけ早く自動変速機の応答を感知することを意味し、言い換えれれば自動変速機の自然な挙動を感知することを意味する。
第３図には第２図における方法をダブルシフトに適用した例が示されている。このダブルシフトは第１及び第２の順次行われるシフトによる。第１のシフトも第２のシフトもダウンシフトであって、要するに例えば第５変速段から第３変速段へのダブルシフトである。第３図は第３Ａ図から第３Ｇ図までの７つの分図から成っている。各分図はいずれも時間を追って示されており、
第３Ａ図はドライバーの出力要求ＦＷの線図、
第３Ｂ図はシフト命令ＳＢを示す線図、
第３Ｃ図は２つの例における変速機入力回転数ｎＴの経過を示す線図、
第３Ｄ図は第１の例における第１の、要するに解除されるクラッチの圧力経過ｐＫ１を示す線図、
第３Ｅ図は第１の例における第２の、要するに接続されるクラッチの圧力経過ｐＫ２を示す線図、
第３Ｆ図は第２の例における第１のクラッチの圧力経過ｐＫ１Ａを示す線図、
第３Ｇ図は第２の例における第２のクラッチの圧力経過ｐＫ２Ａを示す線図である。
第３Ｃ図には第１の例として符号２８で公知技術によるダブルダウンシフトが示されている。この回転数経過には第３Ｄ図及び第３Ｅ図の圧力経過が対応する。図示のとおりこのダブルダウンシフトには合計４つのクラッチが使われる。第３Ｃ図の符号２９は第２の例を示す。この第２の例は本発明による解決策に相当する。符号２９による回転数経過ｎＴには第３Ｆ図及び第３Ｇ図に示す圧力経過が対応する。
第１の例：
時点ｔ１においてドライバーが第１のダウンシフトの要求を出す。これによって第３Ａ図及び第３Ｂ図においては信号経過が変わる。同時に、第１のクラッチ３０の圧力経過ｐＫ１が第１の圧力レベルｐ１から第２の圧力レベルｐ２へ減少される。この第２の圧力レベルｐ２は保持時間、要するに時点ｔ１から時点ｔ３までの間保持される。また、時点ｔ１においては第２のクラッチ３２が急速充填圧ｐ５で給圧される。この急速充填圧ｐ５は時点ｔ２まで続く。次いで第２のクラッチ３２は充填圧ｐ６で給圧される。時点ｔ３において保持時間が終了し、すなわち第１のクラッチ３０の圧力レベルｐＫ１が第２の圧力レベルｐ２から第３の圧力レベルｐ３へ減少される。これによって、変速機入力回転数ｎＴの経過がｎＴ（１）からｎＴ（２）の方向で変わる。第１のクラッチ３０の圧力レベルｐ３に亙って変速機入力回転数ｎＴの勾配を決めることができる。時点ｔ４において同期回転数値ｎＴ（２）に達する。同期点において第２のクラッチ３２の圧力レベルｐＫ２は圧力レベルｐ４に達する。今や第２のクラッチ３２が第１のクラッチ３０から負荷を引き継いだので、第１のクラッチ３０の圧力レベルＰ３はゼロに低下する。
ここにおいて、時点ｔ２から時点ｔ４までの時間範囲内にドライバーが第２のダウンシフトを行ったと仮定する。このことが第３Ａ図に出力要求ＦＷの信号が“４”から“３”へ変わったとして示されている。その結果時点Ｔ４において、同期点ｎＴ（２）の認識によって、第３Ｂ図に示されているように新たなシフト命令ＳＢが発せられる。時点ｔ４においてはまた第２の解除される方のクラッチ３１の圧力レベルｐＫ１が圧力レベルｐ１から圧力レベルｐ２へ減少される。同時に第２の接続される方のクラッチ３３の圧力レベルｐＫ２が時点ｔ４から時点ｔ５の間急速充填圧レベルｐ５に高められる。次いでこの第２の接続されるクラッチ３３は充填圧ｐ６で給圧される。時点ｔ４から時点ｔ６までの間に第２の解除されるクラッチ３１の保持時間が終了する。この保持時間の間は変速機入力回転数ｎＴの経過が変化せず、要するに回転数は回転数値ｎＴ（２）のままである。時点ｔ６においてこの保持時間が終了し、第２の解除されるクラッチ３１の圧力レベルｐＫ１は第２の圧力レベルｐ２から第３の圧力レベルｐ３へ減少される。これによって変速機入力回転数ｎＴの経過が値ｎＴ（２）から値ｎＴ（３）への方向で変化する。時点ｔ７において同期点、即ち回転数値ｎＴ（３）に達する（第３Ｃ図参照）。この同期点において、第３Ｅ図に示すように第２の接続されるクラッチ３３は第２の解除されるクラッチ３１から負荷を引き継ぐ。同時に第２の解除されるクラッチ３１は第３の圧力レベルｐ３から圧力レベルゼロになる。
第２の例：
この第２の例には本発明による解決策が示されている。この第２の例に該当するのは第３Ｃ図における変速機入力回転数ｎＴの回転数経過２９、第３Ｆ図に示す両方の解除されるクラッチ３４、３５の圧力経過及び第３Ｇ図に示す両方の接続されるクラッチ３６、３７の圧力経過である。
時点ｔ１においてドライバーが、例えば第３Ａ図に示されているように第５変速段から第４変速段へダウンシフトを行う。これによってシフト命令ＳＢ（第３Ｂ図参照）が発せられる。この時点ｔ１においては第１の解除されるクラッチ３４の圧力レベルｐＫ１Ａが第１の圧力レベルｐ１から第３の圧力レベルｐ３へ減少される。この第２の例の場合、保持時間が０に計算されていると前提している。保持時間は変速機入力回転数ｄ＿ｎＴの回転数差及び作動油の温度Θの関数をなす。変速機入力回転数の差はこの第２の例の場合両方の同期点ｎＴ（２）、ｎＴ（１）の差に相当する。第１の解除される方のクラッチの圧力レベルｐＫ１Ａが第３の圧力レベルｐ３に達し次第、変速機入力回転数ｎＴの勾配が回転数値ｎＴ（２）への方向で変化する。圧力レベルｐ３は時点ｔ２Ａまで保持される。この圧力レベルｐ３を介して変速機入力回転数経過が決定される。時点ｔ１においてはまた第１の接続される方のクラッチ３６が圧力レベルｐ５の急速充填圧で時点ｔ２まで給圧される。次いで充填圧ｐ６で充填される。時点ｔ２Ａにおいて同期回転数ｎＴ（２）に達する。この時点で第１の接続されるクラッチ３６は第１の解除されるクラッチ３４から負荷を引き継ぐ。第１の解除されるクラッチ３４の圧力レベルは第３の圧力レベルｐ３からゼロへ減少される。同期回転数ｎＴ（２）の認識と同時に第２の解除されるクラッチ３５が第１の圧力レベルｐ１から第３の圧力レベルｐ３へ減少される。この場合も保持時間はない。というのは保持時間がゼロに計算されているからである。次いで圧力レベルｐ３で制御フェーズが続き、その間に変速機入力回転数の経過がｎＴ（３）の方向で変化する。時点ｔ２Ａにおいてはまた第２の接続されるクラッチ３７が急速充填圧で給圧される。時点ｔ４において第２の同期点ｎＴ（３）に達する。この同期回転数値で第２の接続されるクラッチ３７は第２の解除されるクラッチ３５から負荷を引き継ぐ。これによって第２の解除されるクラッチ３５は第３の圧力レベルｐ３からレベルゼロへ減少される。
第３Ａ図及び第３Ｂ図に示されているように、ドライバーの要求で時点ｔ２Ａにおいて直接シフト命令が発せられる。その結果、第３Ｃ図に示すように、第１の例及び第２の例に関して時点ｔ４から時点ｔ７までの時間のずれΔｔが生ずる。言い換えれば、公知例による変速機入力回転数の回転数経過２８に対する本発明の方法による回転数経過２９の相違が生ずる。ダブルダウンシフトへのドライバーの要求と同期回転数値ｎＴ（３）との間には回転数経過２９に示すように時間短縮が得られ、要するに応答時間が明確に短縮される。ドライバーはこれを自然な応答と感知する。
第４図には、アップシフト及びこれに続くダウンシフトから成るダブルシフトについて例示されている。実際の走行時の典型的な一例として貨物自動車の背後を走行していて追い越そうとするケースを取り上げることとする。対面交通に起因してドライバーはアクセルペダルストロークを減少し、自動変速機は例えば第４変速段から第５変速段へとアップシフトを呈する。アップシフトの経過中にドライバーは対向車線が空いたと見ればアクセルペダルを新たに踏み込む。このような場合、公知例によればまず最初にアップシフトが完全に行われる。次いで通例のように遮断時間があり、その後初めて例えば第５変速段から第４変速段へのダウンシフトが始まる。遮断時間は、アップシフト時に解除されるクラッチが完全に除圧状態にあるように保証するために元来必要とされる。完全な除圧状態でない場合には、接続される方のクラッチへの急速充填がダウンシフトの際にシフト圧の形で不利に作用するからである。
第４図は４つの分図としての第４Ａ図、第４Ｂ図、第４Ｃ図、第４Ｄ図から成っており、
第４Ａ図はシフト命令を示す線図、
第４Ｂ図は変速機入力回転数ｎＴの回転数経過を示す線図、
第４Ｃ図は第１のクラッチの圧力経過を示す線図、
第４Ｄ図は第２のクラッチの圧力経過を示す線図である。
第４Ｂ図にやはり２つの例が示されている。符号４０の回転数経過は公知例による解決策に相当する。この回転数経過４０には第４Ａ図中の符号３８で示すシフト命令、第４Ｃ図中の符号４２で示す第１のクラッチの圧力経過、第４Ｄ図中の符号４４で示す第２のクラッチの圧力経過が対応する。第４Ｂ図中に符号４１で第２の例として本発明による回転数経過を示しており、この回転数経過４１には第４Ａ図中の符号３９で示すシフト命令、第４Ｃ図中の符号４３で示す第１のクラッチの圧力経過、第４Ｄ図中の符号４５で示す第２のクラッチの圧力経過が対応する。
第１の例：
時点ｔ１においてアップシフトのシフト命令が出される。同時に、第１のクラッチ４２が圧力レベルｐ４の急速充填圧で時点ｔ２まで給圧される。時点ｔ２から時点ｔ３までは圧力レベルｐ６の充填圧を受ける。次いで時点ｔ３から時点ｔ５まで直線関数に従って圧力上昇が続く。最終点は圧力レベルｐ３である。時点ｔ１においてはまた第２のクラッチ４４の圧力レベルがｐ７からｐ８へと減少される。この圧力レベルｐ８は時点ｔ４まで保たれる。第１のクラッチ４２がｔ３からｔ５までの期間内に第２のクラッチ４４から負荷の引き継ぎを開始するので、第２のクラッチ４４は時点ｔ４において解除させることができる。負荷引き継ぎの結果として変速機入力回転数ｎＴは同期点ｎＴ（１）から新たな同期点ｎＴ（２）への方向で変化し始める。時点ｔ６において回転数値ｎＴ（２）に達し、アップシフトは終了する。次いで第１のクラッチ４２の圧力レベルはレベルｐ１に上昇される。
ここにおいてドライバーが時点ｔ１から時点ｔ６までのアップシフトの間にアクセルペダルを操作してダウンシフトを要求した場合、公知例であるこの第１の例ではまず最初に時点ｔ６から時点ｔ７までの遮断時間が生ずる。時点ｔ７においてはじめてダウンシフトのためのシフト命令３８（第４Ａ図）が出される。これによって第１のクラッチ４２の圧力レベルはｐ１からｐ２へ減少される。減少された圧力レベルｐ２は時点ｔ７から時点ｔ１０までの保持時間中保たれる。時点ｔ１０において第１のクラッチ４２の圧力レベルはｐ２からｐ５に減少される。これによって変速機入力回転数ｎＴの経過は新たな同期回転数値ｎＴ（１）の方向へ変化する。時点ｔ１０においてはまた第２のクラッチ４４が圧力レベルｐ１０の急速充填圧で給圧され、次いで圧力レベルｐ１１の充填圧を受ける。時点ｔ１２において同期回転数値ｎＴ（１）に達する。第２のクラッチ４４は同期点において第１のクラッチ４２から負荷を引き継ぐ。かくして第１のクラッチ４２の圧力レベルはレベルｐ５からレベルゼロへ減少させることができる。
第２の例：
この本発明の方法の場合は時点ｔ６までは第１の公知例と同様に経過する。しかし、時点ｔ４において第２のクラッチの解除と共に１つの時間段階が開始する。この時間段階は最大最終値ｔＭＡＸまで、例えば２分続く。時間段階の各時間値いずれにも１つの減少時間が対応していて、この減少時間分だけ急速充填時間が減少する。例えば、１００ｍｓｅｃの時間値の場合に−５０ｍｓｅｃの減少時間又は２００ｍｓｅｃの場合にゼロに減少時間である。これらの時間値相互は線形に補間される。
急速充填時間を算出するための別の実施態様によれば、時間段階の各時間値にそれぞれ急速充填時間が対応している。この急速充填時間は１つの基本急速充填時間に加算され、例えば基本急速充填時間は２０ｍｓｅｃとすることができる。
時点ｔ６においてダウンシフトのための新たなシフト命令３９（第４Ａ図）が出される。これによって第１のクラッチ４３の圧力レベルはレベルｐ５へ減少される。保持時間はこの場合ゼロに計算されている。同じ時点Ｔ６において第２のクラッチ４５が圧力レベルｐ１０の急速充填圧で給圧される。急速充填の期間、この場合時点ｔ６から時点ｔ６Ａまでの期間は、時間段階の各時間値の関数である。実地においてこのことは、時間段階の時間値の内の小さな時間値が短い急速充填時間を生ずることを意味している。極端な場合、解除される方のクラッチが十分除圧されてないことが時間段階に基づいて確認されるならば、急速充填時間をゼロとしてもよい。時点ｔ６Ａからｔ９までの期間に第２のクラッチ４５は圧力レベルｐ１１の充填圧を受ける。時点Ｔ９において同期回転数値ｎＴ（１）に達して第２のクラッチ４５の圧力レベルはレベルｐ９に上昇され、これによって第１のクラッチ４３から負荷を確実に引き継ぐことができる。時点ｔ９においては同時に第１のクラッチ４３の圧力レベルがレベルゼロへ減少される。時点ｔ１２においてシフトは終了し、第２のクラッチ４５の圧力レベルはシフト域外のレベルに減少される。第４Ｂ図に示すように、本発明の方法による回転数経過４１の場合、符号４０で示す公知例の回転数経過に比して時点ｔ９から時点ｔ１２までの時間利益Δｔが得られる。言い換えれば、アップシフトの後にダウンシフトが時間差なしに直ちに行われる。走行中の追い越し時のドライバーの要求と実際の加速との間に極めてわずかな時間があるだけであり、要するに自動変速機の自然な感じが高められることになる。
符号の説明：
１      エンジン
２      自動変速機
３      電子式エンジンコントロールユニット
４      油圧制御装置
５      電子式変速機制御装置
６      駆動軸
７      流体トルクコンバータ
８      ポンプインペラー
９      タービンランナー
１０    ステータ
１１    遊星歯車装置
１２    差動装置
１３Ａ，１３Ｂ    ハーフシャフト
１４    マイクロコントローラ
１５    記憶装置
１６    制御部調整部材機能ブロック
１７    計算装置機能ブロック
１８    変速機入力回転数
１９    変速機出力回転数
２０    入力量
２１    データ導線路
２２    第１の例における変速機入力回転数の経過
２３    第２の例における変速機入力回転数の経過
２４    第１の例における解除される方のクラッチの圧力経過
２５    第２の例における解除される方のクラッチの圧力経過
２６    第１の例における接続される方のクラッチの圧力経過
２７    第２の例における接続される方のクラッチの圧力経過
２８    第１の例における変速機入力回転数の経過
２９    第２の例における変速機入力回転数の経過
３０    第１の例における第１の解除される方のクラッチの圧力経過
３１    第１の例における第２の解除される方のクラッチの圧力経過
３２    第１の例における第１の接続される方のクラッチの圧力経過
３３    第１の例における第２の接続される方のクラッチの圧力経過
３４    第２の例における第１の解除される方のクラッチの圧力経過
３５    第２の例における第２の解除される方のクラッチの圧力経過
３６    第２の例における第１の接続される方のクラッチの圧力経過
３７    第２の例における第２の接続される方のクラッチの圧力経過
３８    第１の例におけるシフト命令
３９    第２の例におけるシフト命令
４０    第１の例における変速機入力回転数の経過
４１    第２の例における変速機入力回転数の経過
４２    第１の例における第１のクラッチの圧力経過
４３    第２の例における第１のクラッチの圧力経過
４４    第１の例における第２のクラッチの圧力経過
４５    第２の例における第２のクラッチの圧力経過
【図１】
0004286323.tif 000002
【図２】
0004286323.tif 000003
【図３】
0004286323.tif 000004
【図４】
0004286323.tif 000005